(57)【特許請求の範囲】
【請求項１】
入力端子に入力された信号を増幅して複数の出力端子に分配する分配回路と、前記複数の出力端子のうち、一つの出力端子を前記入力端子に接続する短絡回路と、前記分配回路及び前記入力端子間、並びに前記分配回路及び前記一つの出力端子間に介挿された接続スイッチとを備え、前記信号を増幅して前記複数の出力端子に分配する第１状態と、前記信号を前記入力端子に短絡された前記一つの出力端子に出力する第２状態とを切替える分配装置において、
前記短絡回路を接続した時点からの経過時間を計時する第１計時部と、
前記第１状態から前記第２状態に切替える場合、前記短絡回路を接続し、前記第１計時部が計時した経過時間が所定時間を超えた時点で前記接続スイッチを開放する制御部と
を備えることを特徴とする分配装置。
【請求項２】
前記接続スイッチを接続した時点からの経過時間を計時する第２計時部を備え、
前記制御部は、
前記第２状態から前記第１状態に切替える場合、前記接続スイッチを接続し、前記第２計時部が計時した経過時間が所定時間を超えた時点で前記短絡回路を開放するよう構成してある
ことを特徴とする請求項１に記載の分配装置。
【請求項３】
前記分配回路に介挿されており、前記一つの出力端子に分配する信号を減衰させる減衰器を備えることを特徴とする請求項１又は請求項２に記載の分配装置。
【請求項４】
前記減衰器は、減衰動作を有効又は無効に切替える切替部を備えることを特徴とする請求項３に記載の分配装置。
【請求項５】
前記入力端子に入力される信号の信号強度が所定値未満であるか否かを判定する判定部
を備え、
前記切替部は、前記判定部が所定値未満であると判定した場合、減衰動作を無効に切替えるようにしてある
ことを特徴とする請求項４に記載の分配装置。
【請求項６】
前記制御部は、前記判定部が所定値未満であると判定した場合、前記短絡回路の接続を禁止するよう構成してある
ことを特徴とする請求項５に記載の分配装置。
【請求項７】
前記第２状態への切替動作の有効又は無効を受け付ける受付部を備え、
前記制御部は、前記受付部が前記切替動作の無効を受け付けた場合、前記短絡回路の接続を禁止するよう構成してある
ことを特徴とする請求項１から請求項６までのいずれか一項に記載の分配装置。
【請求項８】
請求項１から請求項７までのいずれか一項に記載の分配装置を備えることを特徴とする録画装置。
【発明の詳細な説明】
【技術分野】
【０００１】
本発明は、入力端子に入力された信号を増幅して複数の出力端子に分配する状態と、入力端子に短絡した一の出力端子に出力する状態とを、一の出力端子から出力される信号が途切れないよう切替可能にする分配装置及び当該分配装置を備えた録画装置に関する。
【背景技術】
【０００２】
アンテナ又は放送ケーブルにより伝送されて受信した放送信号を複数の選局回路夫々により選局して複数の映像音声を録画可能にすると共に、外部出力端子に接続された受像機に放送信号を出力可能にした録画装置が広く用いられている。このような録画装置には、受信した放送信号を各選局回路及び外部出力端子に増幅して分配する分配装置が内蔵されている。ユーザは、録画装置により放送信号の映像音声を録画すると共に、外部出力端子に接続された受像機に表示された放送信号の映像音声を視聴することが可能である。録画装置の電源がオフにされて分配装置に供給される電源が停止した場合であっても、外部出力端子に接続された受像機により映像音声を視聴可能にすべく、分配装置は入力端子を外部出力端子に短絡する短絡回路を備えている。
【０００３】
例えば、特許文献１に記載の分配装置は、短絡回路を接続すると共に、分配回路を入力端子及び外部出力端子から切り離して、分配回路から短絡回路への切替を行う。また、短絡回路を開放すると共に、分配回路を入力端子及び外部出力端子に接続することにより短絡回路から分配回路への切替を行う。外部出力端子に接続された受像機に表示される映像音声が途切れることを防止するために、分配回路及び短絡回路の切替時に外部出力端子から信号が出力されない期間が発生しないことを必要とする。また、切替時における外部出力端子から出力される信号の信号強度の変化に対して、受像機の入力段に備えられているＡＧＣ（Auto Gain Control）回路による信号強度の調整が間に合わずに映像音声が途切れる虞がないように、切替前後において信号強度が変化しないことが好ましい。
【特許文献１】特表２００２−５１１２２５号公報
【発明の開示】
【発明が解決しようとする課題】
【０００４】
しかしながら、特許文献１に記載の分配装置は、分配回路及び短絡回路の切替時に外部出力端子から信号が出力されない期間が発生するという問題があった。また、特許文献に記載の分配装置は、増幅器を備えた分配回路及び短絡回路の切替時に外部出力端子から出力される信号の信号強度が大きく変化するという問題があった。
【０００５】
本発明は斯かる事情に鑑みてなされたものであり、短絡回路の接続並びに入力端子及び出力端子の分配回路への接続夫々のタイミングを制御する制御部を備えることにより、外部出力端子に信号が出力されない期間が発生することなく、分配回路及び短絡回路の切替が可能となる分配装置及び当該分配装置を備えた録画装置を提供することを目的とする。また、本発明の他の目的は、増幅された信号を減衰させるべく分配回路に介挿された減衰器を備えることにより、分配回路又は短絡回路を経て外部出力端子に出力される信号の信号強度を略同一にし、外部出力端子から出力される信号の信号強度が変化することなく短絡回路及び分配回路の切替が可能となる分配装置及び当該分配装置を備えた録画装置を提供することにある。
【課題を解決するための手段】
【０００６】
本発明に係る分配装置は、入力端子に入力された信号を増幅して複数の出力端子に分配する分配回路と、前記複数の出力端子のうち、一つの出力端子を前記入力端子に接続する短絡回路と、前記分配回路及び前記入力端子間、並びに前記分配回路及び前記一つの出力端子間に介挿された接続スイッチとを備え、前記信号を増幅して前記複数の出力端子に分配する第１状態と、前記信号を前記入力端子に短絡された前記一つの出力端子に出力する第２状態とを切替える分配装置において、前記短絡回路を接続した時点からの経過時間を計時する第１計時部と、前記第１状態から前記第２状態に切替える場合、前記短絡回路を接続し、前記第１計時部が計時した経過時間が所定時間を超えた時点で前記接続スイッチを開放する制御部とを備えることを特徴とする。
【０００７】
本発明にあっては、分配回路から短絡回路に切替える場合、短絡回路に介挿されたスイッチを接続して入力端子を複数の出力端子のうち、一つの出力端子、所謂外部出力端子に短絡する。短絡された外部出力端子は、短絡回路を経て入力端子から与えられた信号と、分配回路を経て増幅され、分配された信号とを出力する。短絡回路を接続してから所定時間を経過後に、分配回路と入力端子及び外部出力端子夫々に介挿された２つのスイッチが切断されて、分配回路から入力端子及び外部出力端子が開放される。これにより、分配回路から短絡回路への切替が完了し、外部出力端子は短絡回路を経た信号のみを出力する。
【０００８】
本発明に係る分配装置は、前記接続スイッチを接続した時点からの経過時間を計時する第２計時部を備え、前記制御部は、前記第２状態から前記第１状態に切替える場合、前記接続スイッチを接続し、前記第２計時部が計時した経過時間が所定時間を超えた時点で前記短絡回路を開放するよう構成してあることを特徴とする。
【０００９】
本発明にあっては、短絡回路から分配回路に切替える場合、分配回路に介挿された２つのスイッチ夫々を接続して、分配回路に入力端子及び外部出力端子が接続される。分配回路に接続された外部出力端子は、分配回路を経て分配された信号と、短絡回路を経て入力端子から与えられた信号とを出力する。分配回路に入力端子及び外部出力端子が接続されてから所定時間を経過後に、短絡回路に介挿されたスイッチが切断されて短絡回路が開放される。これにより、短絡回路から分配回路への切替が完了し、外部出力端子は分配回路を経た信号のみを出力する。
【００１０】
本発明に係る分配装置は、前記分配回路に介挿されており、前記一つの出力端子に分配する信号を減衰させる減衰器を備えることを特徴とする。
【００１１】
本発明にあっては、分配回路を経て増幅され、複数の出力端子に分配される信号のうち、外部出力端子に分配される信号が、短絡回路を経て外部出力端子に出力される信号と略同一の信号強度を有するよう減衰器により減衰される。
【００１２】
本発明に係る分配装置は、前記減衰器は、減衰動作を有効又は無効に切替える切替部を備えることを特徴とする。
【００１３】
本発明にあっては、切替部により減衰器の減衰動作が無効に切替えられた場合、分配回路を経て増幅された信号が減衰されずに外部出力端子に分配される。
【００１４】
本発明に係る分配装置は、前記入力端子に入力される信号の信号強度が所定値未満であるか否かを判定する判定部を備え、前記切替部は、前記判定部が所定値未満であると判定した場合、減衰動作を無効に切替えるようにしてあることを特徴とする。
【００１５】
本発明にあっては、所定値未満の信号強度を有する信号が入力された場合、分配回路を経て増幅された信号が減衰されずに外部出力端子に分配される。
【００１６】
本発明に係る分配装置は、前記制御部は、前記判定部が所定値未満であると判定した場合、前記短絡回路の接続を禁止するよう構成してあることを特徴とする。
【００１７】
本発明にあっては、所定値未満の信号強度を有する信号が入力された場合、短絡回路の接続が禁止され、分配回路を経て増幅された信号が外部出力端子に分配される。
【００１８】
本発明に係る分配装置は、前記第２状態への切替動作の有効又は無効を受け付ける受付部を備え、前記制御部は、前記受付部が前記切替動作の無効を受け付けた場合、前記短絡回路の接続を禁止するよう構成してあることを特徴とする。
【００１９】
本発明にあっては、ユーザによる切替動作の無効を指示する操作を受付部が受け付けた場合、短絡回路への切替が禁止され、外部出力端子からは常に分配回路を経て分配された信号が出力される。
【００２０】
本発明に係る録画装置は、前述の分配装置を備えることを特徴とする。
【００２１】
本発明にあっては、分配回路に切替えられた場合、分配回路を経て分配された信号の映像音声が録画可能になると共に、分配回路を経て外部出力端子に分配された信号が外部に出力される。短絡回路に切替えられた場合、短絡回路を経て外部出力端子に分配された信号が外部に出力される。
【発明の効果】
【００２２】
本発明にあっては、短絡回路の接続並びに入力端子及び出力端子の分配回路への接続夫々のタイミングを制御する制御部を備えることにより、外部出力端子に信号が出力されない期間が発生することなく、分配回路及び短絡回路の切替が可能となる。また、本発明にあっては、増幅された信号を減衰させるべく分配回路に介挿された減衰器を備えることにより、分配回路又は短絡回路を経て外部出力端子に出力される信号の信号強度を略同一にし、外部出力端子から出力される信号の信号強度が変化することなく短絡回路及び分配回路の切替が可能となる。
【発明を実施するための最良の形態】
【００２３】
実施の形態１
以下、本発明をその実施の形態を示す図面を参照して具体的に説明する。図１は、実施の形態１に係る分配部を備えた録画装置の内部構成を示すブロック図である。図中２は、録画装置に備えられた分配部を示す。録画装置は、外部に接続されたアンテナにより受信された放送信号が入力される放送信号入力部１を備えており、放送信号入力部１から放送信号が分配部２の入力端子２１に与えられる。分配部２は、入力端子２１に与えられた放送信号を第１出力端子２２、第２出力端子２３及び第３出力端子２４に分配する分配回路（第１状態）と、入力端子２１を第３出力端子２４に短絡して放送信号を第３出力端子２４にのみ出力する短絡回路（第２状態）とを切替可能にしてある。
【００２４】
分配部２が分配回路に切り替えた状態で第１出力端子２２及び第２出力端子２３夫々から出力される放送信号は、第１選局部３ａ及び第２選局部３ｂに与えられる。第１選局部３ａ及び第２選局部３ｂに与えられた放送信号は、夫々設定された放送チャンネルに選局されて映像音声信号に変換され、録画部５に与えられて映像音声がＨＤ（ Hard disk ）等に録画される。短絡回路を経て分配部２の第３出力端子２４から出力される放送信号は、外部出力端子４に接続された外部の受像機に対して出力される。
【００２５】
主電源部７は、第１選局部３ａ、第２選局部３ｂ及び録画部５を含む録画装置内部の各ハードウェアに電源を供給すると共に、主電源部７のオン・オフ状態を示す主電源信号を分配部２の主電源信号端子２６に出力するようにしてある。また、主電源部７のオン・オフ状態は、録画装置が備える図示しない電源スイッチのオン・オフ状態に連動するようにしてある。副電源部８は、主電源部７のオン・オフ状態に関わらず、分配部２の電源端子２７に常時電源電圧を出力するようにしてある。省電力スイッチ６は、分配部２が有する後述の通常モード及び省電力モードのユーザによる切替を受け付けるための受付部として機能するスイッチであり、受け付けたモード夫々に対応した識別信号を分配部２の省電力スイッチ端子２５に出力するようにしてある。
【００２６】
図２は、実施の形態１に係る分配部２の内部回路を示す回路図である。分配部２の入力端子２１に入力された放送信号をなす高周波信号は、コンデンサＣ１を介してダイオードＤ１のカソードに与えられる。ダイオードＤ１は、順方向電流が流れた場合にオン状態となるＰＩＮ（ p-intrinsic-n ）ダイオードで構成された高周波信号をスイッチングするための高周波スイッチであり、後述のダイオードＤ２と共に分配回路に入力端子２１及び第３出力端子２４とを接続する接続スイッチとして機能する。コンデンサＣ１は、高周波信号に含まれる直流成分によりダイオードＤ１に逆方向電位が印加されてダイオードＤ１がオフ状態となることを防止すべく直流成分を遮断するために設けられている。ダイオードＤ１がオン状態である場合、ダイオードＤ１に与えられた高周波信号は、増幅器ＡＭＰに与えられ、増幅器ＡＭＰに設定されている増幅率Ｇで増幅される。
【００２７】
増幅器ＡＭＰにより増幅された高周波信号は、分配器２０３に与えられ、分配器２０３により第１出力端子２２、第２出力端子２３及び減衰器ＡＴＴに分配される。減衰器ＡＴＴは、減衰動作の有効又は無効を切替え可能に構成してあり、減衰動作が有効に設定された場合、入力された高周波信号を内蔵する減衰器により減衰率Ｋで減衰させて出力し、減衰動作が無効に設定された場合、減衰させずに出力するようにしてある。減衰器ＡＴＴから出力された高周波信号は、ダイオードＤ２のアノードに与えられる。ダイオードＤ２は、ダイオードＤ１と同様にＰＩＮダイオードで構成された高周波スイッチである。ダイオードＤ２がオン状態の場合、ダイオードＤ２に与えられた高周波信号は、コンデンサＣ２を介して第３出力端子２４に与えられる。
【００２８】
コンデンサＣ２は、高周波信号に含まれる直流成分によりダイオードＤ２に逆方向電位が印加されてダイオードＤ２がオフ状態となることを防止すべく直流成分を遮断するために設けられている。入力端子２１に与えられた高周波信号は、コンデンサＣ１に対して並列接続されたコンデンサＣ３を介して、ＦＥＴ２０２のソースにも与えられる。ＦＥＴ２０２は、ゲート電位が印加されていない場合にオン状態となるディプレッション型ＦＥＴ（ Field Effect Transistor ）で構成された高周波スイッチである。分配部２は、回路の各部を制御する制御部としてのＭＣＵ（ Microcontroller ）２０１を備えており、ＭＣＵ２０１は、副電源部８から電源端子２７を介して電源電圧が常時与えられる入力端子２０１ｆを有している。
【００２９】
ＭＣＵ２０１の出力端子２０１ａからは、Ｈ（Ｈｉｇｈ）レベル及びＬ（Ｌｏｗ）レベルの制御電圧Ｖａが出力されるようにしてある。出力端子２０１ａからＬレベルの制御電圧Ｖａが出力された場合、抵抗Ｒ４を介してゲートに出力端子２０１ａが接続されたＦＥＴ２０２にゲート電位が印加されず、ＦＥＴ２０２のソース−ドレイン間はオン状態となる。ＦＥＴ２０２のソースに与えられた高周波信号は、オン状態のソース−ドレイン間を介してコンデンサＣ４に与えられ、コンデンサＣ４により直流成分が遮断されて第３出力端子２４に与えられる。オン状態のＦＥＴ２０２のソース−ドレイン間により、入力端子２１を第３出力端子２４に短絡する短絡回路が接続される。
【００３０】
出力端子２０１ａからＨレベルが出力された場合、抵抗Ｒ４、順方向となるダイオードＤ３及び抵抗Ｒ３を介して接地端子へ電流が流れる。ＦＥＴ２０２のゲート電圧として、Ｈレベルの制御電圧Ｖａが抵抗Ｒ４及び抵抗Ｒ３により分圧されて印加され、ＦＥＴ２０２のソース−ドレイン間がオフ状態となる。オフ状態のＦＥＴ２０２のソース−ドレイン間により、短絡回路が開放される。ＭＣＵ２０１の出力端子２０１ｂからは、制御電圧Ｖｂが出力されるようにしてある。ＭＣＵ２０１の出力端子２０１ｂから抵抗Ｒ７を介してトランジスタＴｒのベースに対し、Ｌレベルの制御電圧Ｖｂが出力され、トランジスタＴｒがオン状態にされた場合、副電源部８から電源端子２７、オン状態のトランジスタＴｒのエミッタ−コレクタ間、抵抗Ｒ５、ダイオードＤ１及び抵抗Ｒ１を介し接地端子に電流が流れ、ダイオードＤ１を流れる順方向電流により、ダイオードＤ１がオン状態となる。
【００３１】
また、副電源部８から電源端子２７、オン状態のトランジスタＴｒのエミッタ−コレクタ間、抵抗Ｒ６、ダイオードＤ２及び抵抗Ｒ２を介し接地端子に電流が流れ、ダイオードＤ２に流れる順方向電流により、ダイオードＤ２がオン状態となる。オン状態のダイオードＤ１、Ｄ２により、増幅器ＡＭＰ、分配器２０３及び減衰器ＡＴＴ等からなる分配回路が入力端子２１及び第３出力端子２４に接続される。ＭＣＵ２０１の出力端子２０１ｂからＨレベルの制御電圧Ｖｂが出力されてトランジスタＴｒがオフ状態にされた場合、ダイオードＤ１、Ｄ２に順方向電流が流れず、ダイオードＤ１、Ｄ２がオフ状態となる。オフ状態のダイオードＤ１、Ｄ２により、分配回路が入力端子２１及び第３出力端子２４から開放される。
【００３２】
また、副電源部８から電源端子２７に与えられた電源電圧は、オン状態のトランジスタＴｒのエミッタ−コレクタ間を介して増幅器ＡＭＰの電源端子にも与えられる。これにより、分配回路が入力端子２１及び第３出力端子２４に接続された場合、増幅器ＡＭＰに対して電源の供給が開始され、分配回路が入力端子２１及び第３出力端子２４から開放された場合、増幅器ＡＭＰに対して電源の供給が停止される。減衰器ＡＴＴは、ＭＣＵ２０１の出力端子２０１ｃからＬレベルが与えられた場合、分配器２０３から分配された高周波信号を減衰率Ｋで減衰させてダイオードＤ２のアノードに出力するようにしてある。また、ＭＣＵ２０１の出力端子２０１ｃからＨレベルが与えられた場合、高周波信号を減衰させずにダイオードＤ２のアノードに出力するようにしてある。
【００３３】
主電源部７から主電源信号端子２６に与えられた主電源信号は、ＭＣＵ２０１の入力端子２０１ｅに与えられる。ＭＣＵ２０１は、入力端子２０１ｅに与えられた主電源信号に基づいて主電源部７のオン・オフ状態を取得するようにしてある。また、ＭＣＵ２０１は、短絡回路及び分配回路夫々の接続及び開放のタイミングを制御する制御部、減衰器の減衰動作を有効又は無効に切替える切替部、短絡回路を接続した時点からの経過時間を計時する第１計時部及び分配回路に入力端子２１及び第３出力端子２４を接続した時点からの経過時間を計時する第２計時部として機能するようにしてある。以上のように構成してある分配部２について通常モードにおける動作を説明する。
【００３４】
ＭＣＵ２０１は、省電力スイッチ６が通常モードに切替えられた場合、内蔵するタイマにより、切替時点からの経過時間の計時を開始する。ＭＣＵ２０１は、経過時間が時間Ｔ０に達するまで省電力スイッチ６が通常モードに切替えられた状態を維持されている場合、通常モードに設定する。時間Ｔ０は、後述の所定時間ΔＴよりも長い時間を設定し、ＭＣＵ２０１が内蔵する記憶部に記憶させておくと良い。ＭＣＵ２０１は、出力端子２０１ａ及び出力端子２０１ｂから夫々Ｈレベルの制御電圧Ｖａ及びＬレベルの制御電圧Ｖｂを出力することにより、短絡回路を開放し、分配回路に入力端子２１及び第３出力端子２４を接続する。また、ＭＣＵ２０１は、出力端子２０１ｃからＨレベルの制御電圧を出力し、減衰器ＡＴＴの減衰動作を無効にする。これにより、第１出力端子２２、第２出力端子２３及び第３出力端子２４には、分配回路を経ており、増幅された高周波信号が分配されて出力される。次に、分配部２の省電力モードにおける動作を説明する。
【００３５】
図３は、実施の形態１に係る分配回路から短絡回路に切替える場合の制御電圧Ｖａ及びＶｂの対応関係を示すタイミングチャートである。ＭＣＵ２０１は、省電力スイッチ６が省電力モードに切替えられた場合、内蔵するタイマにより、切替時点からの経過時間の計時を開始する。ＭＣＵ２０１は、経過時間が時間Ｔ０に達するまで省電力スイッチ６が省電力モードに切替えられた状態を維持されている場合、省電力モードに設定する。ＭＣＵ２０１は、出力端子２０１ｃからＬレベルの制御電圧を出力して減衰器ＡＴＴの減衰動作を有効にする。
【００３６】
ＭＣＵ２０１は、主電源部７がオン状態である場合、出力端子２０１ａ及び出力端子２０１ｂから夫々Ｈレベルの制御電圧Ｖａ及びＬレベルの制御電圧Ｖｂを出力することにより、短絡回路を開放し、分配回路に入力端子２１及び第３出力端子２４を接続する。第１出力端子２２、第２出力端子２３には、増幅された高周波信号が分配されて出力され、第３出力端子２４には、分配された高周波信号が増幅分を減衰されて出力される。ＭＣＵ２０１は、主電源部７がオフ状態にされた場合、すなわち録画装置に備えられている電源スイッチがオフにされた場合、分配回路から短絡回路に切替える動作を開始する。
【００３７】
出力端子２０１ｂから出力される電圧ＶｂをＨレベルに維持した状態で、出力端子２０１ａから出力する電圧ＶａをＬレベルに変更する。これにより、分配回路に入力端子２１及び第３出力端子２４が接続された状態が維持されると共に、短絡回路が接続される。第３出力端子２４には、入力端子２１から短絡回路及び分配回路を経た高周波信号が与えられる。ＭＣＵ２０１は、内蔵するタイマにより、制御電圧ＶａをＨレベルからＬレベルに変更した時点Ｔａからの経過時間の計時を開始する。ＭＣＵ２０１は、経過時間が所定時間ΔＴに達した時点Ｔｂにおいて出力端子２０１ｂから出力している制御電圧ＶｂをＬレベルからＨレベルに変更し、分配回路から入力端子２１及び第３出力端子２４を開放する。
【００３８】
第３出力端子２４には、分配回路から短絡回路への切替が完了し、入力端子２１から短絡回路を経た高周波信号のみが出力される。所定時間ΔＴは、例えば、数ｍｓｅｃから数十ｍｓｅｃの時間を予め設定し、ＭＣＵ２０１が内蔵する記憶部に記憶させておくと良い。減衰器ＡＴＴの減衰率Ｋは、入力端子２１から分配回路を経て第３出力端子２４に与えられる高周波信号の信号強度が、入力端子２１から短絡回路を経て第３出力端子２４に与えられる高周波信号の信号強度と略同一となるように、夫々の回路における損失の差及び増幅器ＡＭＰの増幅率Ｇに基づいて決定すると良い。
【００３９】
図４は、実施の形態１に係る短絡回路から分配回路に切替える場合の制御電圧Ｖａ及びＶｂの対応関係を示すタイミングチャートである。ＭＣＵ２０１は、主電源部７がオン状態にされた場合、すなわち録画装置に備えられている電源スイッチがオンにされた場合、短絡回路から分配回路に切替える動作を開始する。出力端子２０１ａから出力される電圧ＶａをＬレベルに維持した状態で、出力端子２０１ｂから出力する電圧ＶｂをＨレベルからＬレベルに変更する。これにより、短絡回路が接続された状態が維持されると共に、分配回路に入力端子２１及び第３出力端子２４が接続される。第３出力端子２４には、入力端子２１から短絡回路及び分配回路を経て高周波信号が与えられる。
【００４０】
ＭＣＵ２０１は、内蔵するタイマにより、制御電圧ＶｂをＨレベルからＬレベルに変更した時点Ｔｃからの経過時間を計時開始する。ＭＣＵ２０１は、経過時間が所定時間ΔＴに達した時点Ｔｄにおいて出力端子２０１ａから出力している制御電圧ＶａをＬレベルからＨレベルに変更し、短絡回路を開放する。第３出力端子２４には、短絡回路から分配回路への切替が完了し、入力端子２１から分配回路を経た高周波信号のみが出力される。分配部２が分配回路から短絡回路及び短絡回路から分配回路に切替える場合、短絡回路及び分配回路を夫々経た高周波信号が第３出力端子２４に与えられる期間が設けられるため、第３出力端子２４から高周波信号が出力されない期間が発生しない。
【００４１】
また、減衰器ＡＴＴにより、分配回路を経て第３出力端子２４に与えられる高周波信号の信号強度が、短絡回路を経て与えられる高周波信号の信号強度と略同一となるよう減衰されるため、分配回路から短絡回路に切替える場合の時点Ｔａ、Ｔｂ、及び短絡回路から分配回路に切替える場合の時点Ｔｃ、Ｔｄ夫々において、第３出力端子２４から出力される高周波信号の信号強度が変化しない。また、省電力スイッチ６が省電力モードに切替えられた状態では、主電源部７がオフ状態となった場合、分配回路から短絡回路に切替えられると共に、増幅器ＡＭＰの電源端子に電源の供給が停止されるため、増幅器ＡＭＰの増幅動作における消費電力が削減され、分配部２を備える録画装置の消費電力が減少して省電力となる。
【００４２】
図５は、実施の形態１に係るモードを設定する処理の手順を示すフローチャートである。ＭＣＵ２０１は、省電力スイッチ６のモードが切替えられたか否かを判定する（ステップＳ１１）。ＭＣＵ２０１は、モードが切替えられていないと判定した場合（ステップＳ１１でＮＯ）、切替えられていると判定するまで待機する。ＭＣＵ２０１は、モードが切替えられていると判定した場合（ステップＳ１１でＹＥＳ）、内蔵するタイマにより省電力スイッチ６のモードが切替えられた時点からの経過時間の計時を開始する（ステップＳ１２）。ＭＣＵ２０１は、省電力スイッチ６のモードが切替えられたか否かを判定する（ステップＳ１３）。
【００４３】
ＭＣＵ２０１は、モードが切替えられたと判定した場合（ステップＳ１３でＹＥＳ）、経過時間の計時を開始するステップＳ１２に処理を戻す。ＭＣＵ２０１は、モードが切替えられていないと判定した場合（ステップＳ１３でＮＯ）、タイマが計時している経過時間が時間Ｔ０を経過しているか否かを判定する（ステップＳ１４）。ＭＣＵ２０１は、経過していないと判定した場合（ステップＳ１４でＮＯ）、省電力スイッチ６のモードが切替えられたか否かを判定するステップＳ１３に処理を戻す。ＭＣＵ２０１は、経過していると判定した場合（ステップＳ１４でＹＥＳ）、省電力スイッチ６がいずれのモードに切替えられているかを判定する（ステップＳ１５）。
【００４４】
ＭＣＵ２０１は、通常モードに切替えられていると判定した場合（ステップＳ１５で“通常モード”）、通常モードに設定する（ステップＳ１６）。ＭＣＵ２０１は、減衰器ＡＴＴの減衰動作を無効にし（ステップＳ１７）、分配回路を接続して（ステップＳ１８）、モードを設定する処理を終了する。ＭＣＵ２０１は、省電力スイッチ６がいずれのモードに切替えられているかを判定するステップＳ１５において、省電力モードに切替えられていると判定した場合（ステップＳ１５で“省電力モード”）、省電力モードに設定する（ステップＳ１９）。ＭＣＵ２０１は、減衰器ＡＴＴの減衰動作を有効にし（ステップＳ２０）、モードを設定する処理を終了する。
【００４５】
図６は、実施の形態１に係る分配回路から短絡回路に切替える処理の手順を示すフローチャートである。ＭＣＵ２０１は、短絡回路を接続する（ステップＳ３１）。ＭＣＵ２０１は、内蔵するタイマにより短絡回路を接続した時点からの経過時間の計時を開始する（ステップＳ３２）。ＭＣＵ２０１は、タイマが計時している経過時間が時間ΔＴを経過しているか否かを判定する（ステップＳ３３）。ＭＣＵ２０１は、経過していないと判定した場合（ステップＳ３３でＮＯ）、経過するまで待機する。ＭＣＵ２０１は、経過していると判定した場合（ステップＳ３３でＹＥＳ）、分配回路から入力端子２１及び第３出力端子２４を開放し（ステップＳ３４）、分配回路から短絡回路に切替える処理を終了する。
【００４６】
図７は、実施の形態１に係る短絡回路から分配回路に切替える処理の手順を示すフローチャートである。ＭＣＵ２０１は、分配回路に入力端子２１及び第３出力端子２４を接続する（ステップＳ４１）。ＭＣＵ２０１は、内蔵するタイマにより分配回路に入力端子２１及び第３出力端子２４を接続した時点からの経過時間の計時を開始する（ステップＳ４２）。ＭＣＵ２０１は、タイマが計時している経過時間が時間ΔＴを経過しているか否かを判定する（ステップＳ４３）。ＭＣＵ２０１は、経過していないと判定した場合（ステップＳ４３でＮＯ）、経過するまで待機する。ＭＣＵ２０１は、経過していると判定した場合（ステップＳ４３でＹＥＳ）、短絡回路を開放し（ステップＳ４４）、短絡回路から分配回路に切替える処理を終了する。
【００４７】
減衰器ＡＴＴの減衰率Ｋは、短絡回路及び分配回路夫々における損失の差及び増幅器ＡＭＰの増幅率Ｇに基づいて決定される場合を示したが、これに限るものではなく、夫々の回路における損失の差が小さい場合、増幅器ＡＭＰの増幅率Ｇの逆数を設定し、増幅器ＡＭＰによる増幅分を減衰させるようにしてもよい。また、減衰器ＡＴＴは、減衰動作の有効又は無効を切替可能に構成してある場合を示したが、これに限るものではなく、常時減衰動作を行うよう減衰器ＡＴＴを構成し、減衰器ＡＴＴの入力端及び出力端を短絡するバイパス回路を設けてもよい。この場合、分配器２０３の出力をバイパス回路又は減衰器ＡＴＴの入力端のいずれかに接続する切替スイッチをさらに設けて、係る切替スイッチをＭＣＵ２０１の出力端子２０１ｃから出力される制御電圧で切替制御するよう構成するとよい。
【００４８】
ＦＥＴ２０２によるスイッチが介挿された短絡回路、及びダイオードＤ１及びＤ２による高周波スイッチ、増幅器ＡＭＰ、分配器２０３及び減衰器ＡＴＴ等からなる分配回路として示した図２の例は、公知の技術であり、これに限るものではなく、短絡回路の接続及び開放、並びに分配回路の入力端子２１及び第３出力端子２４への接続及び開放のタイミングをＭＣＵ２０１により夫々制御可能に構成された回路であればよい。
【００４９】
実施の形態２
図８は、実施の形態２に係る分配部を備えた録画装置の内部構成を示すブロック図である。本実施の形態２は、実施の形態１に係る分配部２が設定した通常モード及び省電力モードに基づいて減衰器ＡＴＴによる減衰動作を有効及び無効に切替えるようにしてあるのに対し、入力される放送信号の信号強度に基づいて切替えるようにしてある。録画装置は、放送信号入力部１に入力された放送信号の信号強度を判定する信号強度検出部９と、分配部１０とを備える。信号強度検出部９は、アンテナからの信号の強度（ Carrier ）と総合雑音電力（ Noise ）の比を示す受信Ｃ／Ｎ比を用いて放送信号の信号強度を検出し、分配部１０の強度信号端子１０１に出力するようにしてある。
【００５０】
図９は、実施の形態２に係る分配部の内部回路を示す回路図である。ＭＣＵ３０１は、強度信号端子１０１を介して強度信号が入力される入力端子３０１ａを備えている。ＭＣＵ３０１は、入力端子３０１ａに入力された強度信号が所定値未満である否かを判定する判定部として機能し、所定値未満である場合、減衰器ＡＴＴの減衰動作を無効にすべく出力端子２０１ｃからＬレベルの制御電圧を出力する。また、ＭＣＵ３０１は、省電力モードに設定されている場合、通常モードに変更する。これにより、放送信号入力部１に所定値未満の信号強度を有する放送信号が入力された場合、第３出力端子２４には、常時、分配部１０の分配回路を経て増幅され、分配された高周波信号が与えられる。
【００５１】
信号強度検出部９は、Ｃ／Ｎ比を用いて信号強度を検出する場合を示したが、復号エラーを用いて検出しても良い。デジタルテレビジョン放送により伝送される放送信号は、ＭＰＥＧ等のデジタル圧縮／伸長アルゴリズムを用いて符号化されており、第１選局部３ａ及び第２選局部３ｂが備える復号器で復号される。信号強度の低い放送信号を復号器で復号した場合、復号エラーが多く発生するため、復号エラーの発生頻度を用いて信号強度の検出するよう信号強度検出部９を構成するとよい。ＭＣＵ３０１が入力端子３０１ａに入力された強度信号に基づいて判定する判定部として機能する場合を示したが、これに限るものではなく、分配部１０の入力端子２１に入力された高周波信号の信号強度を検出して所定値未満であるか否かを判定し、判定結果をＭＣＵ３０１に与える判定部を分配部１０に設けてもよい。
【００５２】
また、省電力モードで信号強度検出部９に対する電源の供給を停止するようにしてもよい。この場合、入力端子３０１ａに入力された強度信号についての判定結果をＭＣＵ３０１が記憶するようにし、録画装置に備えられている電源スイッチがオフにされた場合、記憶してある結果に基づいて減衰器ＡＴＴの減衰動作を有効又は無効にすべく出力端子２０１ｃから制御電圧を出力するとよい。
【００５３】
本実施の形態２は以上の如き構成としてあり、その他の構成及び作用は実施の形態１と同様であるので対応する部分には同一の符号を付してその詳細な説明を省略する。
【図面の簡単な説明】
【００５４】
【図１】実施の形態１に係る分配部を備えた録画装置の内部構成を示すブロック図である。
【図２】実施の形態１に係る分配部の内部回路を示す回路図である。
【図３】実施の形態１に係る分配回路から短絡回路に切替える場合の制御電圧Ｖａ及びＶｂの対応関係を示すタイミングチャートである。
【図４】実施の形態１に係る短絡回路から分配回路に切替える場合の制御電圧Ｖａ及びＶｂの対応関係を示すタイミングチャートである。
【図５】実施の形態１に係るモードを設定する処理の手順を示すフローチャートである。
【図６】実施の形態１に係る分配回路から短絡回路に切替える処理の手順を示すフローチャートである。
【図７】実施の形態１に係る短絡回路から分配回路に切替える処理の手順を示すフローチャートである。
【図８】実施の形態２に係る分配部を備えた録画装置の内部構成を示すブロック図である。
【図９】実施の形態２に係る分配部の内部回路を示す回路図である。
【符号の説明】
【００５５】
１  放送信号入力部
２，１０  分配部
３ａ  第１選局部
３ｂ  第２選局部
４  外部出力端子
５  録画部
６  省電力スイッチ
７  主電源部
８  副電源部
９  信号強度検出部
２１  入力端子
２２  第１出力端子
２３  第２出力端子
２４  第３出力端子
２５  省電力スイッチ端子
２６  主電源信号端子
２７  電源端子
１０１  強度信号端子
２０１，３０１  ＭＣＵ
２０１ａ，２０１ｂ，２０１ｃ  出力端子
２０１ｄ，２０１ｅ，２０１ｆ,３０１ａ  入力端子
２０２  ＦＥＴ
２０３  分配器
ＡＭＰ  増幅器
ＡＴＴ  減衰器
Ｃ１，Ｃ２，Ｃ３，Ｃ４  コンデンサ
Ｄ１，Ｄ２，Ｄ３  ダイオード
Ｒ１，Ｒ２，Ｒ３，Ｒ４，Ｒ５，Ｒ６，Ｒ７  抵抗
Ｔｒ  トランジスタ
【図１】
0004912357.tif 000002
【図２】
0004912357.tif 000003
【図３】
0004912357.tif 000004
【図４】
0004912357.tif 000005
【図５】
0004912357.tif 000006
【図６】
0004912357.tif 000007
【図７】
0004912357.tif 000008
【図８】
0004912357.tif 000009
【図９】
0004912357.tif 000010